(57)【特許請求の範囲】
【請求項１】
縦長の矩形状をした用紙が中心横断線から少しずれた位置で２つ折りされて第１の非重合部分が形成され、この２つ折りされた用紙が中心横断線から少しずれた位置で且つ第１の非重合部分が外側となるようにさらに２つ折りされて第２の非重合部分が形成され、第１及び第２の非重合部分側が開口部となるように内面周囲の糊付け部で貼り合わされてポケット状のＣＤ収納部が２つ形成されていることを特徴とするＣＤホルダー。
【請求項２】
第２の非重合部分に第３のＣＤ収納部を形成するためのミシン目が設けられている請求項１に記載のＣＤホルダー。
【請求項３】
第２の非重合部分が長く形成され、当該第２の非重合部分を折り曲げることによりＣＤ収納部に蓋をするようになっている請求項１に記載のＣＤホルダー。
【発明の詳細な説明】
【０００１】
【発明の属する技術分野】
本発明は、コンパクトディスク（ＣＤ）を雑誌等の書籍の付録として添付する場合に使用されるＣＤホルダーに関するものである。
【０００２】
【従来の技術】
従来、雑誌等の書籍の付録としてＣＤを添付する場合、これを厚紙製のパッケージ或いはビニール袋や封筒状の収納袋に収納し、これらを書籍のページ間に挟み込んで販売形態とすることが一般的に行われていた。しかしながら、この挟み込み方式では搬送中等の流通段階においてＣＤを収納したパッケージや収納袋が簡単に外れてしまい品質保証の点で問題がある上に、店頭での販売時には盗難に遭い易い等の問題が多いことから、最近では、パッケージ自体を頁全体としたものを巻頭や巻末或いは任意頁に綴じ込んで製本した形態の平綴本或いは無線綴本、又はこのパッケージや収納袋を貼り付けた用紙を巻頭や巻末或いは任意頁に綴じ込んで製本した形態の中綴本、平綴本或いは無線綴本が販売されている。
【０００３】
【発明が解決しようとする課題】
上記した厚紙製のパッケージを綴じ込んだ本については、本全体が分厚く嵩張る上、パッケージ自体に撓み性がないことからＣＤを取り出した後もページを捲り難く、さらに厚紙製であることから材料費面でコストがそれ程低くないという問題点がある。これに対して、収納袋を貼り込んだ本については、かかる厚紙製のパッケージ特有の問題点はなく、多くの雑誌にＣＤが添付されるようになった現状では、雑誌としての使い勝手の優る袋状のＣＤホルダーを貼り込んだ本の方が望ましい。
【０００４】
しかしながら、袋状のＣＤホルダーではＣＤを通常は１枚しか収納できず、雑誌等に２〜３枚のＣＤを添付したい場合に対処できないという欠点がある。すなわち、ＣＤを２〜３枚入れようとすると重ねて入れるしかなく、そうすると搬送中等において互いに擦れ合って盤面に傷が付くからである。
【０００５】
本発明は、上記のような問題点に鑑みてなされたものであり、その目的とするところは、複数枚のＣＤを収納でき、しかも収納したＣＤの記録面にキズが付かないようにした袋状のＣＤホルダーを提供することにある。
【０００６】
【課題を解決するための手段】
上記目的を達成するために、本発明に係るＣＤホルダーは、縦長の矩形状をした用紙が中心横断線から少しずれた位置で２つ折りされて第１の非重合部分が形成され、この２つ折りされた用紙が中心横断線から少しずれた位置で且つ第１の非重合部分が外側となるようにさらに２つ折りされて第２の非重合部分が形成され、第１及び第２の非重合部分側が開口部となるように内面周囲の糊付け部で貼り合わされてポケット状のＣＤ収納部が２つ形成されていることを特徴とするものである。
【０００７】
そして、第２の非重合部分に第３のＣＤ収納部を形成するためのミシン目が設けられている形態を採ることもできるし、或いは、第２の非重合部分を長く形成しておき、当該第２の非重合部分を折り曲げることによりＣＤ収納部に蓋をするように構成することもできる。
【０００８】
【発明の実施の形態】
以下、図面を参照して本発明の実施形態について説明する。
【０００９】
図１は本発明に係るＣＤホルダーを収納状態で示す正面図、図２は図１に示すＣＤホルダーの作製手順を示す工程図である。
【００１０】
図２（ａ）に示すように、ＣＤホルダー１を作製するための用紙１０は縦長の矩形状をしており、中心横断線から少しずれた位置にミシン目ａが設けられ、そのミシン目ａから等距離のところにミシン目ｂ，ｃが設けられている。すなわち、４つの領域１１，１２，１３，１４がミシン目ｂ，ａ，ｃを介して連設された状態になっている。そして、領域１２と領域１３は略正方形でＣＤが収まるのに十分な大きさであり、領域１４はこれらより少し短く、領域１１はさらに少し短くなっている。
【００１１】
この用紙１０をＣＤホルダー１にするには、まず図２（ｂ）に斜線で示す如く領域１１と領域１２の周囲３辺に沿って帯状の糊付け部１１ａ，１２ａを設けてから、用紙１０をミシン目ａで２つ折りする。これにより、図２（ｃ）に示すように、領域１２と領域１３とがミシン目ａ以外の３辺で貼り合わされ、領域１１と領域１４が３辺で貼り合わされて第１の非重合部分１５が形成される。次いで、図２（ｃ）に斜線で示す如く領域１４の周囲３辺に帯状の糊付け部１４ａを設けてから、さらに用紙１０をミシン目ｂ，ｃで２つ折りする。これにより、図２（ｄ）に示すように、領域１３と領域１４とがミシン目ｃ以外の３辺で貼り合わされて第２の非重合部分１６が形成され、これがＣＤホルダー１となる。すなわち、第１及び第２の非重合部分１５，１６側が開口部となるように領域１１，１４，１３が内面周囲の糊付け部１１ａ，１４ａで貼り合わされてポケット状のＣＤ収納部が２つ形成された形態となる。
【００１２】
上記のようにして作製したＣＤホルダー１に図１に示す如く２枚のＣＤ２を収納する。すなわち、２つあるＣＤ収納部の開口部からそれぞれＣＤ２を差し込んで収納する。なお、糊付け部１１ａ，１４ａの幅を適宜設定してＣＤ収納部の大きさを決めておき、収納したＣＤ２が摩擦力で抜けないようにしておく。そして、この２枚のＣＤ２を収納したＣＤホルダー１を雑誌等の書籍の任意頁にホットメルトにより貼り付けて綴じ込む。中綴本の場合は、製本した後に所定頁を開いて手作業で貼り付ければよい。或いは、製本時における丁合工程（鞍掛け）の前段階で折丁に貼り付けておくようにしてもよい。また、平綴本、無線綴本等の他の形態の本の場合も、予め折丁に収納状態のＣＤホルダーを糊付けしておいてもよいし、製本した後で任意頁に貼り付けるようにしてもよい。このようにＣＤ２を書籍に綴じ込むと、２枚のＣＤ２は直接接触しないので、荷重がかかってもＣＤ２は傷付かない。
【００１３】
図３は図１のＣＤホルダーの変形例を示す正面図であり、図４は図３に示すＣＤホルダーの作製手順を示す工程図である。
【００１４】
図４（ａ）に示すように、ＣＤホルダー１’を作製するための用紙１０’は図２（ａ）に示す用紙１０と略同じであるが、ミシン目ａと平行に少しの間隔を置いて領域１３にミシン目ｄが設けられている点だけが異なっている。すなわち、領域１３の一辺にジッパー部１３ａが形成された状態になっている。また、この用紙１０’をＣＤホルダー１’にする手順は、図４（ｂ）〜図４（ｄ）に示すようであって、先に説明したＣＤホルダー１の作製手順と同じである。ただ、領域１２に設ける糊付け部１２ａが、ミシン目ａの付近でジッパー部１３ａの幅に対応する長さだけ省略された状態になっている。作製されたＣＤホルダー１’は、必要に応じてジッパー部１３ａを剥ぎ取ることができる。そして、ジッパー部１３ａを剥ぎ取ると、さらにもう一つのＣＤ収納部が形成されるので、合計３枚のＣＤを収納できるようになる。
【００１５】
図５は本発明に係るＣＤホルダーの別の例を収納状態で示す正面図、図６は図５に示すＣＤホルダーの作製手順を示す工程図である。
【００１６】
図６（ａ）に示すように、ＣＤホルダー３を作製するための用紙２０は先の用紙１０よりも長い縦長の矩形状をしており、中心横断線から少しずれた位置にミシン目ａが設けられ、そのミシン目ａから等距離のところにミシン目ｂ，ｃが設けられ、さらにそれらのミシン目ｂ，ｃから等距離のところにそれぞれミシン目ｄ，ｅが設けられている。すなわち、６つの領域２１，２２，２３，２４，２５，２６がミシン目ｄ，ｂ，ａ，ｃ，ｅを介して連設された状態になっている。そして、領域２２と領域２５は略正方形でＣＤが収まるのに十分な大きさであり、領域２６はこれらより少し短く、領域２１はさらに少し短くなっており、領域２３と領域２１を足した長さは領域２２の長さより長くなっている。
【００１７】
この用紙２０をＣＤホルダー３にするには、まず図６（ｂ）に斜線で示す如く領域２１と領域２２と領域２３の周囲３辺に沿って帯状の糊付け部２１ａ，２２ａ，２３ａを設けてから、用紙２０をミシン目ａで２つ折りする。これにより、図６（ｃ）に示すように、領域２１と領域２６、領域２２と領域２５、領域２３と領域２６がそれぞれ３辺で貼り合わされて第１の非重合部分２７が形成される。次いで、図６（ｃ）に斜線で示す如く領域２６の周囲３辺に帯状の糊付け部２６ａを設けてから、さらに用紙２０をミシン目ｄ，ｅで２つ折りする。これにより、図６（ｄ）に示すように、領域２５と領域２６とがミシン目ｅ以外の３辺で貼り合わされて第２の非重合部分２８が形成され、これがＣＤホルダー３となる。すなわち、第１及び第２の非重合部分２７，２８側が開口部となるように領域２１，２６，２５が内面周囲の糊付け部２１ａ，２６ａで貼り合わされてポケット状のＣＤ収納部が２つ形成された形態となる。
【００１８】
上記のようにして作製したＣＤホルダー３に図５に示す如く２枚のＣＤ２を収納する。すなわち、２つあるＣＤ収納部の開口部からそれぞれＣＤ２を差し込んで収納する。このＣＤホルダー３では、ＣＤ２を収納した後、領域２３と領域２４とが重なった部分をミシン目ｂ，ｃで折り曲げることでＣＤ２が落ちないように蓋をすることができる。そして、この２枚のＣＤ２を収納したＣＤホルダー１を雑誌等の書籍の任意頁にホットメルトにより貼り付けて綴じ込む。この場合、蓋のある側で頁に貼り付けるようにすれば、ＣＤ２の脱落を完全に防止できるし、領域２２に全面的なデザインで印刷を施すこともできる。
【００１９】
【発明の効果】
以上説明したように、本発明のＣＤホルダーは、用紙からなる袋状でありながらも複数枚のＣＤを収納することができ、しかも収納状態ではＣＤが互いに用紙で分離されているので、これを綴じ込んだ書籍を積み重ねたり束ねたりしてＣＤホルダーに荷重がかかったとしてもＣＤに傷がつくようなことがない。
【図面の簡単な説明】
【図１】本発明に係るＣＤホルダーを収納状態で示す正面図である。
【図２】図１に示すＣＤホルダーの作製手順を示す工程図である。
【図３】図１のＣＤホルダーの変形例を示す正面図である。
【図４】図３に示すＣＤホルダーの作製手順を示す工程図である。
【図５】本発明に係るＣＤホルダーの別の例を収納状態で示す正面図である。
【図６】図５に示すＣＤホルダーの作製手順を示す工程図である。
【符号の説明】
１，１’  ＣＤホルダー
２  ＣＤ
３  ＣＤホルダー
１０  用紙
１１，１２，１３，１４  領域
１１ａ，１２ａ，１４ａ  糊付け部
１３ａ  ジッパー部
１５  第１の非重合部分
１６  第２の非重合部分
２０  用紙
２１，２２，２３，２４，２５，２６  領域
２１ａ，２２ａ，２３ａ，２６ａ  糊付け部
２７  第１の非重合部分
２８  第２の非重合部分
【図１】
0003719805.tif 000002
【図２】
0003719805.tif 000003
【図３】
0003719805.tif 000004
【図４】
0003719805.tif 000005
【図５】
0003719805.tif 000006
【図６】
0003719805.tif 000007